(57)【要約】【課題】屋根の端に沿って棟側、軒側両化粧板同士を継手を用いて接続するにあたり、より少ない部材及び作業工数で化粧板の取り付けを行え、化粧板の接続部で継手が目立たないようにする。【解決手段】継手を、化粧板の端部輪郭形状に屈曲していて屋根の側端に接合固定される座板と座板の上面に突出した仕切壁と仕切壁の上端でその左右に突出した細幅の突起とから構成し、座板に重ねた棟側化粧板と軒側化粧板の端部がそれぞれ仕切壁の両側で座板と突起の間に係合して固定されるようにする。突起の根元部は薄肉に形成しておき、化粧板取り付け後、突起を仕切壁から切除する。【選択図】図３
2006144371.tif 000002
【特許請求の範囲】
【請求項１】
屋根の側端に沿って取り付けられる棟側化粧板と軒側化粧板を連結する継手において、
化粧板の端部輪郭形状と略同じ輪郭形状に屈曲していて屋根の側端に接合固定される座板と、座板の上面に突出した仕切壁と、仕切壁の上端でその左右に突出した細幅の突起とを有し、
座板に重ねた棟側化粧板と軒側化粧板の端部がそれぞれ仕切壁の両側で座板と突起の間に係合するように構成されていることを特徴とする化粧板継手。
【請求項２】
突起の根元部を薄肉に形成して、突起を仕切壁から切除可能に設けたことを特徴とする請求項１に記載の化粧板継手。
【発明の詳細な説明】
【技術分野】
【０００１】
本発明は、屋根の端に沿って取り付けられる化粧板同士を一体に接続するための継手に関する。
【背景技術】
【０００２】
家屋の切妻屋根廻りの造作において、妻側端部を装飾するため、屋根の端に沿って、鋼板を破風板状に折り曲げてなる化粧板を取り付けることがある。
この化粧板は、例えば図９に示されるように、先端部が閉塞した軒側化粧板９１と、断面コ字状に屈曲した棟側化粧板９２からなり、屋根の端に沿って両化粧板を一体に取り付けることにより、棟から軒に亘り破風板が取り付けられた如き外観に納めるように構成されている。
両化粧板の取り付けは、屋根のケラバに沿って複数箇所に装着具９３を取り付けた状態で、最初に軒側化粧板９１を装着具９３に装着しビス止めして固定し、次いで棟側化粧板９２を装着具９３に装着しビス止めして固定する順序で行われ、また、軒側化粧板９１の端部に段差を付けて設けられた継手口９１ａに、棟側化粧板９２の端部を嵌め被せることで、両化粧板９１、９２の端部同士を面一に接続して一体に接続するようになっていた（例えば特許文献１参照）。
【０００３】
【特許文献１】特開２００２−２４２３９４号公報
【発明の開示】
【発明が解決しようとする課題】
【０００４】
従来の化粧板を取り付ける工程では、複数の装着具９３をケラバに取り付け、これらに化粧板９１、９２を装着しその外面からビスを打ち込んで固定しており、取り付けに要する作業工数は少なくなかった。
また、最初に軒側化粧板９１、次いで棟側化粧板９２の順で取り付ける制約を受け、屋根周りを高位の棟側から低位の軒側の順に効率的に施工することができなかった。
さらに、軒側化粧板９１と棟側化粧板９２の接続部は、継手口９１ａに棟側化粧板９２の端部を嵌め被せてあるだけなので、棟側化粧板９２の表面を伝い流れる雨水が嵌め被せた接続部間を通って化粧板の内側に入り込み易く、化粧板を内側から腐食させる原因となっていた。軒側化粧板９１の端部に継手口９１ａを一体に設ける加工も手間を要するものであった。
【０００５】
本発明は従来技術の有するこのような問題点に鑑み、屋根の端に沿って複数の化粧板を一体に接続して取り付けるにあたり、より少ない部材及び作業工数で化粧板を取り付けることができ、化粧板同士の接続部から化粧板の内側に雨水が浸入することのないようにすることを課題とする。
【課題を解決するための手段】
【０００６】
前記課題を解決するため本発明は、屋根の側端に沿って取り付けられる棟側化粧板と軒側化粧板を連結する継手において、化粧板の端部輪郭形状と略同じ輪郭形状に屈曲していて屋根の側端に接合固定される座板と、座板の上面に突出した仕切壁と、仕切壁の上端でその左右に突出した細幅の突起とを有し、座板に重ねた棟側化粧板と軒側化粧板の端部がそれぞれ仕切壁の両側で座板と突起の間に係合するように構成したことを特徴とする。
【０００７】
前記構成において、継手に化粧板を取り付けたときに、化粧板の端部表面で露出する突起を目立たせなくするため、突起は幅の細い鉤状に設けることが好ましい。また、化粧板がその表面に長手方向に連続した凹筋や凹凸部を有し、棟から軒に亘って凹筋や凹凸部が連続して表れるように形成されたものである場合、継手の座板に化粧板を重ねたときに突起が凹筋や凹部内に没入するように設ければ、化粧板の外側から突起が見え難くなってより好ましい。
また、突起の根元部を薄肉に形成して突起を仕切壁から切除可能に設ければ、化粧板を屋根に固定した後に突起を切除することで、化粧板の接続部分の外観を綺麗に収めることができる。
【０００８】
本発明の継手を用いた化粧板の取り付けは、屋根の側端に継手を固定し、その座板表面にコーキング材や接着剤などを塗布した状態で、棟、軒何れかの側の化粧板を屋根の側端に被せ、その一端部を継手の仕切壁の一方の側に押し当てて座板と突起との間に嵌め入れ係合させて座板に一体に固着するとともにその他端部を屋根に固定し、次いで他側の化粧板を屋根の側端に被せ、その一端部を継手の仕切壁の他方の側に押し当てて座板と突起との間に嵌め入れ係合させて座板に一体に固着するとともにその他端部を屋根に固定して行うことができる。
【０００９】
これによれば、棟側と軒側の両化粧板は、それぞれ端部を継手の仕切壁に当て、座板と突起の間に差し込み係合させて、端部同士を一体に接続して固定される。突起に係合させた化粧板の端部は、その端面が仕切壁に密接し、棟側化粧板表面の雨水は仕切壁を伝って軒側化粧板の表面に流れ落ち、化粧板の端部から化粧板の内側に雨水が入り込むことはない。
また、化粧板は、その一方の端部を継手の仕切壁に押し当て、座板と突起の間に係合させて固定し、さらに他方の端部を屋根に固定する手順で取り付けられる。従って、従来使われていた複数の装着具は不要であり、化粧板の両端において固定作業を行って、化粧板を簡易に取り付けることができる。装着具を使用しないため、化粧板外面からのビス打ちも不要であり、軒側化粧板の端部に継手口を設ける必要もない。化粧板を取り付けるにあたり、棟側、軒側何れの側からでも化粧板を取り付けることができ、屋根周りの施工を効率的に行うことが可能となる。
さらに、継手の仕切壁は薄い板状であり、化粧板と係合する突起も細幅に設けてあるので、家屋の下方から屋根側端部を見上げたときに、これら仕切壁と突起は殆ど目につかず、化粧板の接続部分を連続した一体的な外観のものに収めることができる。
【発明を実施するための最良の形態】
【００１０】
本発明の好適な一実施形態を図面を参照して説明する。
図１は本発明の継手を用いて化粧板を取り付けた屋根の妻側外観図、図２は図１の化粧板の端部外観図、図３は本発明の継手の一例の表裏両側の外観図、図４は図３の継手を用いて化粧板を取り付ける工程を示す屋根端部の断面図、図５は同じく化粧板を取り付ける工程を示す継手接合部分の要部外観図、図６は本発明の継手の他の例の表側外観図と側面図、図７は図６の継手の突起を切除する工程を示した外観図、図８は図６の継手を用いて化粧板を取り付ける工程を示す継手接合部分の要部外観図である。
【００１１】
図１に示されるように、この形態は、切妻屋根のケラバに破風板状の化粧板を取り付けて屋根の側端を装飾する場合の実施例であり、図中、符号Ｒは屋根、Ｒｓは屋根側端部、Ｇａは妻、Ｇuは軒樋、１は化粧板、２は継手をそれぞれ示している。
【００１２】
化粧板１は、屋根側端部Ｒｓの軒側に取り付けられる軒側化粧板１Ａと、棟側に取り付けられる棟側化粧板１Ｂからなり、それぞれ屋根側端部Ｒｓの表面を覆う幅を有する長尺鋼板をその長手方向に沿って折り曲げて中空枠形の破風板状に形成してある。
詳しくは、図２に示されるように、両化粧板１Ａ、１Ｂは、それぞれ屋根側端部Ｒｓの上方を覆う上部被覆面１１と、側方を覆う側部被覆面１２と、下方を被覆する下部被覆面１３とを有し、側部被覆面１２と対向する上下被覆面間を開口部１４とした略コ字状の断面形状を有して形成してある。上部被覆面１１の端部には下方へ折れた下折れ部１１ａが連なり、この下折れ部１１ａの縁部には内側に折り返した係合部１１ｂを設けてある。また、下部被覆面１３の端部には上方へ折れた上折れ部１３ａが連なり、この上折れ部１３ａの縁部には下部被覆面１３と平行に外方へ延びた折返部１３ｂを設けてある。さらに側部被覆面１２の上下両縁から略等間隔離れた面内には、長手方向に連続して平行に延びた、裏面側に凹んだ一対の凹筋１２ａ、１２ａを設けてある。なお、軒側化粧板１Ａは、その軒側端部を閉塞して形成されるが、本形態ではその図示を省略する。
【００１３】
継手２は、図３に示されるように、プラスチックを用い、適宜な幅の板材を化粧板１の端部輪郭形状と略同じ輪郭形状を呈するように屈曲させてなる座板２１の上面に、筋状に突出した仕切壁２２と当該仕切壁の上端から左右に突出した突起２３、２３とを一体に設けて形成してある。
詳しくは、座板２１は、適宜な幅及びケラバの側面に接合する長さを有する側面部２１ａと、側面部２１ａの上端から直角に連なっていて縁部を下方へ折り返してなる上面部２１ｂと、同じく側面部２１ａの下端から直角に連なっていて縁部を上方へ折り返してなる下面部２１ｃとにより略コ字状に屈曲してなり、これら各面部の表面に、前記化粧板１の上部被覆面１１と下折れ部１１ａ、側部被覆面１２及び下部被覆面１３と上折れ部１３ａがぴったりと密着して重ね合わさるように形成してある。側面部２１ａには一対の凹溝２１ｄ、２１ｄが設けてあり、前記側部被覆面１２が側面部２１ａに重ね合わさったときに、前記凹筋１２ａ、１２ａが凹溝２１ｄ、２１ｄ内に没入するようになっている。また、側面部２１ａの裏面には、ケラバの下面に接合する支持片２１ｅを突設させてあり、側面部２１ａ及び上面部２１ｂの裏面と支持片２１ｅの上面とが、ケラバの上面、側面及び下面にぴったりと密着して重ね合わさるように形成してある（図４（Ｂ）参照）。
座板２１の表面中央には、化粧板１の厚みと略同じ寸法の高さに突出した仕切壁２２が、凹溝２１ｄ、２１ｄを含む座板２１の縦方向両端に亘って筋状に設けてある。
さらに凹溝２１ｄ、２１ｄ内の仕切壁２２の上端には、その左右両側に座板２１と平行に細幅鉤状に突出した突起２３、２３がそれぞれ設けてある。この突起２３は、仕切壁２２と座板２１とで化粧板１の端部が嵌入可能な凹所である差込部２４を構成し、凹溝２１ｄ、２１ｄ内で、仕切壁２２に突き当て且つ座板２１と突起２３の間に嵌め入れた化粧板１の端部、つまり凹筋１２ａの部分に係合して、化粧板１の端部を支持し固定できるようになっている。
また、継手２１の座板２１ａの表面には固着具で固定するための複数の取付孔２５が形成されており、また、座板裏面の支持片２１ｅと下面部２１ｃの間は仕切面２６によって左右に仕切ってある。
【００１４】
継手２を用いた化粧板１の取り付けは以下の手順で行われる。
先ず、図４（Ａ）に示されるように、屋根側端部Ｒｓの野地板４１の端部に角材４２を固着して、化粧板１を取り付けるケラバ４を構成する。ケラバ４は、その表面に耐水シート４３を敷くとともに、角材４２の表面に沿って屋根上面にＬ字形に屈曲した水切り板４４を配し、これを吊り子４５で固定して防水処理が施される。
次に、同図（Ｂ）に示されるように、継手２をケラバ４に取り付ける。継手２は、ケラバ４に沿って軒側化粧板１Ａと棟側化粧板１Ｂを取り付ける際に、両化粧板の端部同士が接続する位置に取り付けられ、各取付孔２５からネジなどの固着具３をケラバ４の側面にネジ入れて固定される。ケラバ４に固定された継手２は、座板２１の上部裏面と支持片２１ｅがそれぞれケラバ４の側面、上面及び下面に接合する。
継手２が取り付けられたならば、化粧板１をケラバ４に取り付ける。化粧板１の取り付けは、予め継手２の座板２１の表面にコーキング材６を塗布しておき、化粧板１の継手２に接合する側の端部を継手２の一側の座板２１に重ね合わせて差込部２４に差し入れ、当該端部が仕切壁２２に当たるまで押し込み、その表面に突起２３を係合させて取り付け位置を決めた後、他方の端部を屋根に固定する手順で行われる。
化粧板１の取り付けは、軒側、棟側何れの側から行ってもよく、一側の座板２１に一方の化粧板１を重ねて一体に取り付けたならば、図５に示されるように、仕切壁２２を挟んだ他側の座板２１の表面にコーキング材６を塗布し、これに他方の化粧板１の端部を重ね合わせて差込部２４に差し入れ、突起２３を係合させて一体に取り付ければよい。
継手２を介して一体に取り付けられた軒側化粧板１Ａと棟側化粧板１Ｂは、図４（Ｃ）に示されるように、その上部被覆面１１の下折れ部１１ａと水切り板４４の上端部を固着具３で一体に固定され、ケラバ４の下方に回りこんでケラバ４の下面に接合する下部被覆面１３の外折部１３ｂも固着具３で一体に固定される。
化粧板１がケラバ４に沿って固定された後、屋根Ｒにスレート５又は瓦を設置し、鼻隠しには軒樋Ｇｕを取り付けて屋根側端部Ｒｓ廻りの造作が完了する。
【００１５】
また、図６及び図７に示された形態の継手２は、上端に摘み部２７ａを有する連結片２７で突起２３、２３を一体に連結するとともに両突起の仕切壁２２との接続境界である根元部を薄肉に設けてなり、摘み部２７ａを把持して連結片２７を引っ張ると、突起２３、２３がその根元部分で仕切壁２２から切り離され、継手２から両突起を切除できるようになっている。
この継手２を用いた化粧板１の取り付けは、前記形態のものと同様に行われ、ケラバ４に継手２を固定した後、座板２１の表面にコーキング材６を塗布し、軒、棟何れかの化粧板１の端部を一方の座板２１に重ね合わせて差込部２４に差し入れ、端部が仕切壁２２に当たるまで押し込み、突起２３を係合させて固定する。次いで図８（Ａ）に示されるように、他側の化粧板１の端部をコーキング材６が塗布された他方の座板２１に重ね合わせ、端部を差込部２４に差し入れて突起２３を係合させて固定する。
そして、コーキング材６が乾燥し、屋根側端部Ｒｓ廻りの造作が完了したならば、摘み部２７ａを把持して連結片２７を引っ張れば、化粧板１の表面に係合して露出していた突起２３、２３が仕切壁２２から切除され、化粧板１Ａ、１Ｂの接続部分が綺麗な外観に収まる。
【００１６】
このように本発明によれば、化粧板は、継手の差込部に端部を差し込むことにより当該端部側が固定され、他端部側を家屋に固定することで取り付けられるので、化粧板の両端において継手への差し込みと固定作業を行って、化粧板を簡易に取り付けることができる。また、継手の仕切壁は薄い板状であり、化粧板に係合する突起も細幅に設けてあるので、これら仕切壁と突起は殆ど目につかず、さらに突起を切除可能に設けて化粧板の取り付けが完了した後にこれを切除すれば、継手の化粧板の表面で露出する部分がなくなり、化粧板の接続部分を一体に連続した綺麗な外観のものに収めることができる。
【００１７】
なお、図示した化粧板と継手の形態は一例であり、本発明は図示した形態に限定されず、他の適宜な形態に構成可能である。
【図面の簡単な説明】
【００１８】
【図１】本発明の継手を用いて化粧板を取り付けた屋根の妻側外観図である。
【図２】図１の化粧板の端部外観図である。
【図３】本発明の継手の一例の表裏両側の外観図である。
【図４】図３の継手を用いて化粧板を取り付ける工程を示す屋根端部の断面図である。
【図５】図３の継手を用いて化粧板を取り付ける工程を示す継手接合部分の要部外観図である。
【図６】本発明の継手の他の例の表側外観図と側面図である。
【図７】図６の継手の突起を切除する工程を示した外観図である。
【図８】図６の継手を用いて化粧板を取り付ける工程を示す継手接合部の要部外観図である。
【図９】（Ａ）は従来の化粧板の外観図、（Ｂ）はこれを軒側に取り付ける状態を示した図である。
【符号の説明】
【００１９】
１  化粧板、１Ａ  軒側化粧板、１Ｂ  棟側化粧板、２  継手、２１  座板、２２  仕切壁、２３  突起、２４  差込部、３  固着具、４  ケラバ、５  スレート、６  コーキング材
【図１】
2006144371.tif 000003
【図２】
2006144371.tif 000004
【図３】
2006144371.tif 000005
【図４】
2006144371.tif 000006
【図５】
2006144371.tif 000007
【図６】
2006144371.tif 000008
【図７】
2006144371.tif 000009
【図８】
2006144371.tif 000010
【図９】
2006144371.tif 000011